(57)【要約】【課題】つる植物の茎の密集を防ぎ、茎間の通気性、透光性を高めて果実の成長環境を改善でき、吊下げ軸体の軽量化、軸受などの小型化が図れて、装置のコスト低減も可能な吊下ろし栽培装置および栽培方法を提供する。【解決手段】吊下げ軸体の外周面に、その長さ方向へ所定ピッチで巻き回された多数本の左誘引紐および右誘引紐を１つ置きに振り分けるので、つる植物の茎の密集を防ぎ、茎間の通気性、透光性を高めて果実の成長環境を改善できる。各左誘引紐は左ガイドワイヤに掛けて垂し、各右誘引紐は右ガイドワイヤに掛けて垂らすため、これらの誘引紐から吊下げ軸体に作用する力の水平成分が相殺され、かつ両ガイドワイヤがこれらの誘引紐の力の一部を受ける。そのため、これらの誘引紐を介して吊下げ軸体に作用する力は小さく、吊下げ軸体を従来品より小径で軽量なものにでき、装置の小型化およびコスト低減も可能となる。【選択図】図１
2013034441.tif 000002
【特許請求の範囲】
【請求項１】
つる植物が植裁された直線的に延びる栽培床の上方でその延在方向に沿って延び、実質的に水平でかつ回転自在に設けられた吊り下げ軸体と、
それぞれがこの吊り下げ軸体から左右両側に一定距離だけ離れることによりこの吊り下げ軸体を挟むように設けられ、この吊り下げ軸体と実質的に平行に延びる１対の左ガイドワイヤおよび右ガイドワイヤと、
上記吊り下げ軸体にその軸方向に一定間隔を有して交互に巻き回された多数本の左誘引紐および多数本の右誘引紐と、を備え、
上記吊り下げ軸体を回転させることにより、上記多数本の左誘引紐および多数本の右誘引紐を同時に降下させる吊り下ろし栽培装置であって、
上記多数本の左誘引紐および多数本の右誘引紐は、上記吊り下げ軸体に対して同じ方向に巻き回され、
上記吊り下げ軸体から上記多数本の左誘引紐を上記左ガイドワイヤに向かって引き出し、引き出した上記多数本の左誘引紐を上記左ガイドワイヤから吊り下げ、
上記吊り下げ軸体から上記多数本の右誘引紐を上記右ガイドワイヤに向かって引き出し、引き出した上記多数本の右誘引紐を上記右ガイドワイヤから吊り下げるとともに、
吊り下げられた上記多数本の左誘引紐および多数本の右誘引紐に対して上記栽培床に植裁した上記つる植物の茎がその斜め上方に向かって成長するように保持された吊り下ろし栽培装置。
【請求項２】
つる植物が植裁された直線的に延びる栽培床の上方に、その延在方向に沿って延び、かつ実質的に水平な吊り下げ軸体を回転自在に設け、
それぞれがこの吊り下げ軸体から左右両側に一定距離だけ離れ、かつこの吊り下げ軸体と実質的に平行に延びた１対の左ガイドワイヤおよび右ガイドワイヤを、この吊り下げ軸体を挟むように設け、
上記吊り下げ軸体にその軸方向に一定間隔を有して、多数本の左誘引紐および多数本の右誘引紐を交互に巻き回し、
上記吊り下げ軸体を回転させることにより、上記多数本の左誘引紐および多数本の右誘引紐を同時に降下させる吊り下ろし栽培方法であって、
上記多数本の左誘引紐および多数本の右誘引紐は、上記吊り下げ軸体に対して同じ方向に巻き回され、
該吊り下げ軸体から上記多数本の左誘引紐を上記左ガイドワイヤに向かって引き出し、引き出した上記多数本の左誘引紐を上記左ガイドワイヤから吊り下げ、
上記吊り下げ軸体から上記多数本の右誘引紐を上記右ガイドワイヤに向かって引き出し、引き出した上記多数本の右誘引紐を上記右ガイドワイヤから吊り下げるとともに、
吊り下げられた上記多数本の左誘引紐および多数本の右誘引紐に対して上記栽培床に植裁した上記つる植物の茎がその斜め上方に向かって成長するように保持され、
上記つる植物の果実の収穫時には、上記茎の根元部分に生った果実を収穫後、上記吊下げ軸体を上記多数本の左誘引紐および多数本の右誘引紐の引出し方向へ回転させて、これらの多数本の左誘引紐および多数本の右誘引紐を同時に所定長さだけ引き出し、上記茎のさらに高い位置に生った果実を下ろして収穫する吊り下ろし栽培方法。
【請求項３】
上記多数本の左誘引紐および多数本の右誘引紐の振り分けは、平面視して千鳥足状となるように行われている請求項１に記載の吊下ろし栽培装置または請求項２に記載の吊下ろし栽培方法。
【発明の詳細な説明】
【技術分野】
【０００１】
この発明は吊下ろし栽培装置および栽培方法、詳しくはトマトやキュウリなどのつる植物の茎を誘引しながら栽培する吊下ろし栽培装置および栽培方法に関する。
【背景技術】
【０００２】
トマトの成長に合わせて茎を誘引することで、トマトの周年生産、多収化を可能とした吊下ろし栽培方法が知られている。従来、この栽培方法に適した吊下ろし栽培装置として、例えば特許文献１の「農作物のつり下ろし装置」が開発されている。特許文献１のものは、温室の骨組の上部間に、長尺な吊下げ部材（吊下げ軸体）をトマトの栽培床に沿って架設し、吊下げ部材の外周面に、吊下げ部材の長さ方向に所定ピッチで多数本の誘引紐の上部を、それぞれの下部を真下に垂らした状態で巻き付けたものである。吊下げ部材の両端部は、１対の軸受によって前記骨組に軸支され、吊下げ部材の一端部にはウォーム減速機が取り付けられている。また、各誘引紐の途中には、斜め上方へ延びるようにトマトの茎が、多数本のクリップにより掛止されている。
【０００３】
トマト収穫時には、作業が容易な茎の根元部分に生ったトマトを作業者が手もぎする。その後、ウォーム減速機により吊下げ部材を誘引紐の繰出し方向へ回転させ、全ての誘引紐を同時に所定長さだけ下方へ繰り出す。これにより、茎の上部分に実ったトマトが作業者の手元まで下ろされ、作業者は脚立などを使用せず、全てのトマトを安全に収穫することができる。
【先行技術文献】
【特許文献】
【０００４】
【特許文献１】特公平７−７７５２８号公報
【発明の概要】
【発明が解決しようとする課題】
【０００５】
しかしながら、特許文献１の「農作物のつり下ろし装置」にあっては、上述したように吊下げ部材に巻き回した全ての誘引紐が、吊下げ部材の外周面の一側部から吊下げ部材の真下に垂れていた。そのため、１対の軸受およびウォーム減速機を介して、温室の骨組の間に固定された吊下げ部材には、大きなねじりモーメントと大きな曲げモーメントとが同時に作用していた。この対策として、吊下げ部材に作用する荷重を考慮し、吊下げ部材を太くしたり、１対の軸受およびウォーム減速機の高強度化を図っていた。その結果、これらの部材が大型化して重量が嵩み、温室の骨組の補強が必要となったり、コスト高を招いていた。
また、栽培床の各株からは多数本のトマトの茎が成長し、これらの茎は、栽培床の真上からこの列に沿って所定ピッチで垂れた多数本の誘引紐にそれぞれ掛止されていた。そのため、斜め上方へ誘引された各茎は密集し易く、その結果、茎間の通風性が低下し、定期的に散布される消毒液などが全てのトマトに充分に行き渡らないおそれがあった。
【０００６】
そこで、発明者は、鋭意研究の結果、吊下げ部材に巻き回された多数本の誘引紐の導出方向を１本置きに左右方向へ振り分けるとともに、吊下げ部材の両側方に、吊下げ部材と平行に１対の左ガイドワイヤおよび右ガイドワイヤを架設し、多数本の左誘引紐を左ガイドワイヤに引っ掛けて吊り下げ、多数本の右誘引紐を右ガイドワイヤに引っ掛けて吊り下げれば、上述の問題は全て解消することを知見し、この発明を完成させた。なお、これらの左誘引紐および右誘引紐は吊り下げ軸体に対して同じ方向に巻き回されている。
【０００７】
この発明は、つる植物の茎の密集を防止し、茎間の通気性および透光性を高めて果実の成長環境を改善することができ、また吊下げ軸体の軽量化、軸受およびウォーム減速機の小型化をそれぞれ図ることができ、これにより装置のコスト低減も可能な吊下ろし栽培装置および栽培方法を提供することを目的としている。
【０００８】
また、この発明は、誘引紐の吊下げ位置を基準として、つる植物の株を栽培床に植設したとき、定期的につる植物に散布される消毒液などを、つる植物の全ての茎の根元部分に対して一側方のみから吹き付けることができる吊下ろし栽培装置および栽培方法を提供することを目的としている。
【課題を解決するための手段】
【０００９】
請求項１に記載の発明は、つる植物が植裁された直線的に延びる栽培床の上方でその延在方向に沿って延び、実質的に水平でかつ回転自在に設けられた吊り下げ軸体と、それぞれがこの吊り下げ軸体から左右両側に一定距離だけ離れることによりこの吊り下げ軸体を挟むように設けられ、この吊り下げ軸体と実質的に平行に延びる１対の左ガイドワイヤおよび右ガイドワイヤと、上記吊り下げ軸体にその軸方向に一定間隔を有して交互に巻き回された多数本の左誘引紐および多数本の右誘引紐と、を備え、上記吊り下げ軸体を回転させることにより、上記多数本の左誘引紐および多数本の右誘引紐を同時に降下させる吊り下ろし栽培装置であって、上記多数本の左誘引紐および多数本の右誘引紐は、上記吊り下げ軸体に対して同じ方向に巻き回され、上記吊り下げ軸体から上記多数本の左誘引紐を上記左ガイドワイヤに向かって引き出し、引き出した上記多数本の左誘引紐を上記左ガイドワイヤから吊り下げ、上記吊り下げ軸体から上記多数本の右誘引紐を上記右ガイドワイヤに向かって引き出し、引き出した上記多数本の右誘引紐を上記右ガイドワイヤから吊り下げるとともに、吊り下げられた上記多数本の左誘引紐および多数本の右誘引紐に対して上記栽培床に植裁した上記つる植物の茎がその斜め上方に向かって成長するように保持された吊り下ろし栽培装置である。
【００１０】
請求項２に記載の発明は、つる植物が植裁された直線的に延びる栽培床の上方に、その延在方向に沿って延び、かつ実質的に水平な吊り下げ軸体を回転自在に設け、それぞれがこの吊り下げ軸体から左右両側に一定距離だけ離れ、かつこの吊り下げ軸体と実質的に平行に延びた１対の左ガイドワイヤおよび右ガイドワイヤを、この吊り下げ軸体を挟むように設け、上記吊り下げ軸体にその軸方向に一定間隔を有して、多数本の左誘引紐および多数本の右誘引紐を交互に巻き回し、上記吊り下げ軸体を回転させることにより、上記多数本の左誘引紐および多数本の右誘引紐を同時に降下させる吊り下ろし栽培方法であって、上記多数本の左誘引紐および多数本の右誘引紐は、上記吊り下げ軸体に対して同じ方向に巻き回され、該吊り下げ軸体から上記多数本の左誘引紐を上記左ガイドワイヤに向かって引き出し、引き出した上記多数本の左誘引紐を上記左ガイドワイヤから吊り下げ、上記吊り下げ軸体から上記多数本の右誘引紐を上記右ガイドワイヤに向かって引き出し、引き出した上記多数本の右誘引紐を上記右ガイドワイヤから吊り下げるとともに、吊り下げられた上記多数本の左誘引紐および多数本の右誘引紐に対して上記栽培床に植裁した上記つる植物の茎がその斜め上方に向かって成長するように保持され、上記つる植物の果実の収穫時には、上記茎の根元部分に生った果実を収穫後、上記吊下げ軸体を上記多数本の左誘引紐および多数本の右誘引紐の引出し方向へ回転させて、これらの多数本の左誘引紐および多数本の右誘引紐を同時に所定長さだけ引き出し、上記茎のさらに高い位置に生った果実を下ろして収穫する吊り下ろし栽培方法である。
【００１１】
請求項３に記載の発明は、上記多数本の左誘引紐および多数本の右誘引紐の振り分けは、平面視して千鳥足状となるように行われている請求項１に記載の吊下ろし栽培装置または請求項２に記載の吊下ろし栽培方法である。
【００１２】
吊下ろし栽培装置は、温室で使用した方が好ましいが、屋外の畑などでもよい。温室としては、ビニールハウスなどを採用することができる。
吊下げ軸体および１対の左ガイドワイヤおよび右ガイドワイヤは、例えば、栽培床の周囲に立設された複数の門形の支柱間に架け渡すことができる。その他、温室内に設置する場合には、これらを温室の骨組間に架け渡してもよい。温室の骨組としては、支柱、横梁、垂木、棟木などが挙げられる。吊下げ軸体が架設されるのは、例えば骨組の支柱間、横梁間などである。
つる植物としては、例えばトマト、キュウリ、ナスなどを採用することができる。
栽培床とは、つる植物が列（畝）状に栽植されたもので、水耕栽培の場合を含む。所定の幅で実質的に直線状に延びている。栽培床は、地面と平行または地面から所定高さ位置で水平に、かつ直線状に設けられる。
吊下げ軸体としては、中空のパイプ軸、中実軸を採用することができる。吊下げ軸体が長尺な場合には、隣接する吊下げ軸体の連結側の端部をねじ止め、ボルト止めなどにより連結してもよい。吊下げ軸体は、その軸線が実質的に水平であることが望ましい。ただし、若干傾斜してもよい。
「吊下げ軸体が実質的に水平である」とは、吊下げ軸体の軸線が水平であるか、地面（栽培床）と平行であることをいう。なお、吊下げ軸体はその軸線が若干傾斜してもよい。
【００１３】
左ガイドワイヤおよび右ガイドワイヤの素材としては、ステンレスなどの各種の金属を採用することができる。
「左ガイドワイヤおよび右ガイドワイヤが、吊り下げ軸体と実質的に平行に延びる」とは、緊張状態の左ガイドワイヤおよび右ガイドワイヤが、吊り下げ軸体の軸線に対して平行か、若干傾いている状態をいう。
１対の左ガイドワイヤおよび右ガイドワイヤの高さ位置は、吊下げ軸体の高さ位置を基準として、これより下方位置、これと同一高さ位置、これより上方位置のうちの何れでもよい。ただし、下方位置とした方が、例えば両ガイドワイヤが錆びたときに問題となる、ワイヤ表面への各誘引紐の摩擦の増大に伴う両ガイドワイヤの延びや断線の発生を防止することができて好ましい。
【００１４】
すなわち、両ガイドワイヤの高さ位置を吊下げ軸体の高さ位置と同一またはそれより上方位置とすれば、各誘引紐の両ガイドワイヤとの接触部分における屈曲角度は直角または鋭角となる。そのため、両ガイドワイヤと各誘引紐との接触長さは長くなるとともに、ガイドワイヤをその長さ方向に直交する面で切断したとき、各誘引紐に作用する果実付のつる植物の荷重は、両ガイドワイヤのうち、その断面の上部から一側部にかけた外周部分に作用することとなる。その結果、仮に両ガイドワイヤが錆びるなどして、この外周面への各誘引紐の接触抵抗が増大していれば、各誘引紐に作用する果実付きのつる植物の荷重は、吊下げ軸体による部分的な負担もなく、その略全てを両ガイドワイヤのみが受け易くなる。よって、この荷重を原因とした両ガイドワイヤの延びや断線が発生し易くなる。
これに対して、両ガイドワイヤの高さ位置を吊下げ軸体の高さ位置より下方位置とした場合には、各誘引紐の両ガイドワイヤとの接触部分における屈曲角度は鈍角となる。その結果、両ガイドワイヤと各誘引紐との接触長さは前記直角または鋭角の場合に比べて短くなり、かつ両ガイドワイヤをその長さ方向に直交する面で切断したとき、その断面の略一側部のみに前記果実付のつる植物の荷重が作用することとなる。すなわち、両ガイドワイヤの外周面のうち、その断面の上部に該当する部分にはこの荷重が作用しないことで、仮に両ガイドワイヤに錆が発生しても、各誘引紐に作用するつる植物からの荷重は、その一部が吊下げ軸体によって負担され易くなる。その結果、両ガイドワイヤへの前記荷重の全負担を原因とした両ガイドワイヤの延びや断線のおそれは少なくなる。
【００１５】
また、両ガイドワイヤには、対応する左誘引紐または右誘引紐の接触部分に円筒形状のカラーを周方向へ回転自在に装着するようにすれば、このような両ガイドワイヤと各誘引紐との摩擦力を低減することができる。
吊下げ軸体から各ガイドワイヤまでの離間距離は、１０ｃｍ以上、好ましくは２０〜３００ｃｍである。
左誘引紐および右誘引紐としては、例えば、ポリプロピレンなどの各種の合成樹脂紐の他、各種の天然紐を採用することができる。多数本の左誘引紐および多数本の右誘引紐は、１本置きに交互に左右方向へ振り分けられている。多数本の左誘引紐および多数本の右誘引紐は、側面から全体視したとき、それぞれを構成する誘引紐が互いに重なり合うように振り分けても、互いに重ならないように振り分けてもよい。
【００１６】
吊下げ軸体に巻き回された左誘引紐および右誘引紐の離間ピッチは任意であるが、２０〜５０ｃｍ、特に３０ｃｍ前後が好ましい。
つる植物の栽培床から成長した各茎を左誘引紐および右誘引紐に掛止する方法としては、例えば、クリップ、紐、針金、ベルトなどによる掛止法を採用することができる。例えばクリップは茎を固定するものではなく、茎の成育を可能とするように保持する構造である。
吊下げ軸体をその軸線を中心として回転させるもの（回転手段）としては、例えばハンドル回転させる手動式のもの、電動モータなどの各種のアクチュエータを駆動源とする自動式のものなどを採用することができる。
【００１７】
「多数本の左誘引紐および多数本の右誘引紐が、上記吊り下げ軸体に対して同じ方向に巻き回され」とは、吊下げ軸体を所定方向へ回転させたとき、吊下げ軸体から多数本の左誘引紐および多数本の右誘引紐が同時に引き出され（繰り出され）、吊下げ軸体を所定方向とは反対方向へ回転させたとき、多数本の左誘引紐および多数本の右誘引紐が同時に吊下げ軸体に巻き取られることを意味する。
このように、各左誘引紐および各右誘引紐を、吊り下げ軸体に対して同じ方向に巻き回した場合には、各左誘引紐および各右誘引紐を吊下げ軸体から１本置きに左右に振り分けたとき、各左誘引紐および各右誘引紐は、巻き付けられた吊下げ軸体を中心にして、各左誘引紐を左右の一方へ引っ張るとともに各右誘引紐を左右の他方へ引っ張ることにより、必然的に、各左誘引紐は吊下げ軸体の上部または下部の一方から導出され、かつ右誘引紐は吊下げ軸体の上部または下部の他方から導出されることになる。ここでいう「吊下げ軸体の上部」、「吊下げ軸体の下部」とは、吊下げ軸体をその長さ方向に直交する平面（断面）で切断したとき、その吊下げ軸体の断面の上部に該当する部分、または、その断面の下部に該当する部分をいう。吊下げ軸体の上部から対応する誘引紐が引き出された場合、その誘引紐の引出し初めは吊下げ軸体の外周面から上向きに引き出される。また、吊下げ軸体の下部から対応する誘引紐が引き出された場合、その誘引紐の引出し初めは吊下げ軸体から下向きに引き出される。
【発明の効果】
【００１８】
請求項１に記載の発明および請求項２に記載の発明によれば、吊下げ軸体の外周面に、その長さ方向へ所定ピッチで交互に巻き回された多数本の右誘引紐および左誘引紐を、左右方向へそれぞれ振り分けている。このため、栽培床に２列に植裁された多数のつる植物の茎の密集を防止し、茎と茎との間の通気性（風通し）およびこれらに対する透光性（日当たり）を高めてそのつる植物の果実などの成育環境を改善することができる。
また、多数本の右誘引紐および左誘引紐は、吊下げ軸体の右側方および左側方にそれぞれ配置された左右１対のガイドワイヤにそれぞれがいったん引っ掛けられてから垂直に垂らされる。そのため、これらの左誘引紐および右誘引紐により吊下げ軸体に対して作用する外力（茎を支持する誘引紐が垂直に引っ張られることにより誘引紐を介して作用する例えば斜め下方への外力）のうち、水平成分の力が略釣り合って相殺され、かつ両ガイドワイヤがこれらの左誘引紐および右誘引紐からの力（垂直方向の外力）の一部をそれぞれ受け止めることとなる。これにより、多数本の左誘引紐および右誘引紐を介して吊下げ軸体自体に作用する力（軸回りのねじりモーメントおよび軸に対する曲げモーメント）は、従来品の場合よりきわめて小さくなる。その結果、吊下げ軸体を従来品より低強度となる小径で軽量なものとすることができ、これに伴い、吊下げ軸体の軸受および例えばこれを回転させるウォーム減速機などの小型化もそれぞれ図れて、かつ装置のコスト低減も可能となる。同時に、吊り下げ軸体自体を長尺化（ロングスパン構造）とすることもでき、栽培床の長さを従来に比して長くすることにもつながる。
【００１９】
特に、請求項３に記載の発明によれば、平面視して千鳥足状となるように、多数本の左誘引紐および右誘引紐を左右方向へ振り分けたため、多数本の左誘引紐および右誘引紐を側面視したとき、左誘引紐および右誘引紐のうち、一方の誘引紐間から、残りの誘引紐がそれぞれ露出する。そのため、左誘引紐および右誘引紐の吊下げ位置を基準として、つる植物の株を栽培床に植え込んだとき、植物に散布される消毒液や殺虫剤などを、つる植物の全ての茎の根元部分に対して、一側方のみから吹き付け易くなる。
【図面の簡単な説明】
【００２０】
【図１】この発明の実施例１に係る吊下ろし栽培装置の全体構成を示す斜視図である。
【図２】この発明の実施例１に係る吊下ろし栽培装置の要部拡大斜視図である。
【図３】この発明の実施例１に係る吊下ろし栽培装置の回転手段の一部切欠部分を含む要部拡大斜視図である。
【図４】この発明の実施例１に係る吊下ろし栽培装置の一部を構成する吊下げ軸体に対する各誘引紐の上部の固定状態を示す要部拡大斜視図である。
【図５】この発明の実施例１に係る吊下ろし栽培装置の左右の誘引紐により吊下げ軸体に作用する力のつり合い状態を示す正面図である。
【図６】この発明の実施例１に係る吊下ろし栽培装置の一部を構成する多数本の誘引紐へのつる植物の茎の掛止状態を示す要部拡大斜視図である。
【発明を実施するための形態】
【００２１】
以下、この発明の実施例を具体的に説明する。ここでは、トマトのハウス栽培用の吊下ろし栽培装置および栽培方法を例にとる。
【実施例】
【００２２】
図１および図２において、１０はこの発明の実施例１に係る吊下ろし栽培装置である。この吊下ろし栽培装置１０は、温室１１の上部空間に配置され、トマト（つる植物）１２が植裁された直線的に延びる栽培床１３の上方でその延在方向に沿って延び、実質的に水平でかつ回転自在に設けられた吊り下げ軸体１４と、それぞれがこの吊り下げ軸体１４から左右両側に一定距離だけ離れることによりこの吊り下げ軸体１４を挟むように設けられ、この吊り下げ軸体１４と実質的に平行に延びる１対の左ガイドワイヤ１５Ａおよび右ガイドワイヤ１５Ｂと、上記吊り下げ軸体１４にその軸方向に一定間隔を有して交互に巻き回された多数本の左誘引紐１６Ａおよび多数本の右誘引紐１６Ｂと、吊下げ軸体１４の長さ方向の一端部に取り付けられ、かつ手動操作によって吊下げ軸体１４をその軸線回りに回転させることにより、多数本の左誘引紐１６Ａおよび多数本の右誘引紐１６Ｂの繰り出しを行うウォーム減速機（回転手段）１７とを備え、吊り下げ軸体１４を回転させることにより、多数本の左誘引紐１６Ａおよび多数本の右誘引紐１６Ｂを同時に降下させるものである。
【００２３】
温室１１は、平面視して矩形状で、かつ上部がアーチ形状となったビニールハウスである。
温室１１の地面には、温室１１の長さ方向へそれぞれ延びた複数の栽培床１３が、温室１１の幅方向へ所定ピッチで配設されている。栽培床１３には、茎１２ａの長さが８〜１０ｍまで達するトマト（果実）１２が、栽培床１３の長さ方向へ直列に植えられる。栽培床１３は畝などの土壌である。ただし、栽培床１３は養液を収容する水耕栽培用の容器でもよい。
温室１１の骨組は、温室１１の四隅と各側壁とに離間状態で配置された多数本の支柱と、支柱間に架け渡された多数本の横梁と、温室１１の上部の骨組を構成する多数本の垂木と、温室１１の屋根の中央部に配置された棟木とを有している。これらは、亜鉛メッキされた直線状または所定形状に湾曲した鋼管からなる。
【００２４】
各栽培床１３の左側方および右側方には、栽培床１３の長さ方向へ所定ピッチで多数本の室内支柱１８が対配置状態で立設されている。各対の室内支柱１８の上端部間には、山形鋼からなる上枠１９がそれぞれ横架されている。また、各栽培床１３の長さの方向の両端に配置された上枠１９には、長さ方向の中間部の下面にベアリングを内蔵した１対の軸受２０が配設されている（図３）。なお、それぞれ対配置された軸受２０の一方は、対応する上枠１９の中央部に上板が固定されたギヤボックス２１の温室中央側の板に配設されている。また、軸受２０を有さない各上枠１９の長さ方向の中間部の下面には、丸棒を湾曲加工したＵ字リング２２が配設されている（図２）。各栽培床１３の上方には、両端部が前記１対の軸受２０により軸支され、かつ残りの部分が多数本のＵ字リング２２により支持された吊下げ軸体１４が、その軸線回りへ回転自在に支持されている（図１および図２）。吊下げ軸体１４は５０ｍと長尺であるため、数本の短尺な部分軸体１４ａの端部同士をねじ止めにより連結して構成されている（図４）。
【００２５】
さらに、吊下げ軸体１４より下方位置で、かつ温室１１の長さ方向の両端部に配置された横梁間には、前記１対の長尺な左ガイドワイヤ１５Ａおよび右ガイドワイヤ１５Ｂが、所定のテンションで互いに平行に架け渡されている。また、両ガイドワイヤ１５Ａ，１５Ｂは、温室１１の幅方向の両端部に配置された１対の長尺な横梁間に、温室１１の長さ方向へ所定ピッチで架け渡された多数本の横梁ワイヤ２３により撓みが防止されている（図１）。
【００２６】
図３に示すように、前記各ギヤボックス２１は直方体形状の箱体で、それらの内部空間には、吊下げ軸体１４の一端部に固定し、かつ軸線が水平なウォームホイル２４と、これに軸線が直交（垂直）状態で噛合したウォーム２５とからなる前記ウォーム減速機１７が収納されている。ウォーム２５の入力軸２５ａは、対応するギヤボックス２１の下板の一部に形成された軸孔を通過し、下方へ突出している。この突出部分の下端部には、断面正方形のハンドル差し込み部２５ｂが一体形成されている。ハンドル差し込み部２５ｂには、作業者が吊下げ軸体１４を回転させる手動ハンドル２６の長尺な軸部２６ａの上端部に固定されたソケット２６ｂが着脱自在に連結される。ウォーム減速機１７の減速比（ギヤ比）は、ウォームギヤのセルフロック機能を発揮可能な１／４０〜１／６０としている。そのため、仮に多数のトマト１２が実った後、吊下げ軸体１４からの各誘引紐１６Ａ，１６Ｂの繰り出し（または巻上げ）をどの位置で中止しても、トマト１２の重量によって各誘引紐１６Ａ，１６Ｂがずれ落ちることはない。
【００２７】
各吊下げ軸体１４の外周面には、その長さ方向へ所定ピッチで、ポリプロピレン繊維からなる多数本の左誘引紐１６Ａおよび多数本の右誘引紐１６Ｂがそれぞれ左回りに巻き付けられている。各誘引紐１６Ａ，１６Ｂの巻き初めの端部には、断面Ｃ字形状の筒形クリップ２７を装着し、そのばね力により、各誘引紐１６Ａ，１６Ｂは吊下げ軸体１４の外周面に堅固に固定されている（図４）。
図１および図２に示すように、多数本の誘引紐１６Ａ，１６Ｂは、平面視して千鳥足状となるように、吊下げ軸体１４から１本置きに左右方向へ振り分けられている。そのうち、各左誘引紐１６Ａは、左ガイドワイヤ１５Ａに引っ掛けられて垂直に垂らされている。また、多数本の右誘引紐１６Ｂは、右ガイドワイヤ１５Ｂに引っ掛けて垂直に垂らされている。このとき、多数本の左誘引紐１６Ａは、吊下げ軸体１４の下部から吊下げ軸体１４の外周面に左回りに巻き付けており、右誘引紐１６Ｂは、吊下げ軸体１４の上部から吊下げ軸体１４の外周面に同じく左回りに巻き付けている（図５）。その結果、吊下げ軸体１４を左回りに回転させることで、各左誘引紐１６Ａおよび各右誘引紐１６Ｂは、同時に吊下げ軸体１４の外周面に巻き取られる。一方、吊下げ軸体１４を右回りに回転させることで、各左誘引紐１６Ａおよび各右誘引紐１６Ｂは、同時に吊下げ軸体１４から引き出される（繰り出される）。
【００２８】
なお、各左誘引紐１６Ａおよび各右誘引紐１６Ｂは、巻き付けられた吊下げ軸体１４を中心にして、各左誘引紐１６Ａを左下へ引っ張るとともに各右誘引紐１６Ｂを右下へ引っ張ることにより、必然的に、各左誘引紐１６Ａは吊下げ軸体１４の下部から導出され、かつ右誘引紐１６Ｂは吊下げ軸体１４の上部から導出されることになる。ここでいう「吊下げ軸体１４の上部」、「吊下げ軸体１４の下部」とは、吊下げ軸体１４をその長さ方向に直交する平面（断面）で切断したとき、その吊下げ軸体１４の断面の上部に該当する部分、または、その断面の下部に該当する部分をいう。
【００２９】
次に、この発明の実施例１に係る吊下ろし栽培装置１０を使用したトマト１２の吊下ろし栽培方法を説明する。
図１および図６に示すように、トマト１２の多数本の左誘引紐１６Ａおよび右誘引紐１６Ｂへの掛止作業時には、トマト１２の栽培床１３から成長した多数本の茎１２ａが、それぞれ斜め上方へ向かって成長するように、各茎１２ａを多数本の誘引紐１６Ａ，１６Ｂの所定高さ位置に、多数個のトマトクリップ（株式会社アルト製）Ｃを用いて掛止する。具体的には、まず茎１２ａの根元部に最も近い誘引紐１６Ａまたは１６Ｂの下端部に、茎１２ａの根元部をトマトクリップＣにより掛止する。その後、この根元部が掛止された誘引紐１６Ａまたは１６Ｂを基準にして、これから１本、２本、３本と誘引紐１６Ａまたは１６Ｂが離れる程、トマトクリップＣによる茎１２ａの掛止位置の高さが高まるように、茎１２ａをそれぞれの誘引紐１６Ａまたは１６Ｂに掛止して行く。
【００３０】
トマト１２の収穫時には、収穫作業が容易な茎１２ａの根元部分に生ったトマト１２を作業者が手もぎする。その後は、作業者が手動ハンドル２６のソケット２６ｂを、ウォーム２５のハンドル差し込み部２５ｂに装着し、手動ハンドル２６を所定方向へ回転させることで、ウォーム減速機１７を介して、吊下げ軸体１４が各誘引紐１６Ａ，１６Ｂの繰出し方向へ回転する。これにより、全ての誘引紐１６Ａ，１６Ｂが所定長さだけ同時に繰り出され、茎１２ａの上部分に実ったトマト１２が作業者の手元まで下ろされる。その結果、作業者は脚立などを使用せず、全てのトマト１２を安全に収穫することができる。
【００３１】
また、ここでは、吊下げ軸体１４の外周面に、その長さ方向へ所定ピッチで巻き回された多数本の左誘引紐１６Ａおよび多数本の右誘引紐１６Ｂを、左右方向へそれぞれ振り分けるため、トマト１２の茎１２ａの密集を防止し、茎間の通気性および透光性を高めてトマト１２の成長環境を改善することができる。
さらに、各左誘引紐１６Ａは、吊下げ軸体１４を中心にしてその左側方に配置した左ガイドワイヤ１５Ａにいったん引っ掛けた後、左ガイドワイヤ１５Ａの直下へ垂らすとともに、各右誘引紐１６Ｂは、吊下げ軸体１４を中心にしてその右側方に配置した右ガイドワイヤ１５Ｂにいったん引っ掛けた後、右ガイドワイヤ１５Ｂの直下へ垂らす構成としている。そのため、各誘引紐１６Ａ，１６Ｂから吊下げ軸体１４に作用する力のうち、水平成分の力が略釣り合って相殺され、かつ両ガイドワイヤ１５Ａ，１５Ｂが対応する各誘引紐１６Ａ，１６Ｂの力の一部をそれぞれ受ける（図５）。これにより、多数本の誘引紐１６Ａ，１６Ｂを介して吊下げ軸体１４に作用する力（ねじりモーメントおよび曲げモーメント）は、従来品の場合より小さくなる。その結果、吊下げ軸体１４を従来品より低強度となる小径で軽量なものとすることができる。これに伴い、軸受２０およびウォーム減速機１７の小型化もそれぞれ図れ、かつ装置のコスト低減も可能となる。
【００３２】
また、各誘引紐１６Ａ，１６Ｂは、平面視して千鳥足状となるように、１本置きに左右方向へ振り分けている（図１）。そのため、多数本の誘引紐１６Ａ，１６Ｂを側面視したとき、左誘引紐１６Ａおよび右誘引紐１６Ｂのうち、例えば左誘引紐１６Ａの間から、右誘引紐１６Ｂがそれぞれ露出している。これにより、左誘引紐１６Ａおよび右誘引紐１６Ｂの吊下げ位置を基準として、その吊下げ位置から所定間隔でトマト１２の栽培床１３の株をそれぞれ植え込んだ場合には、消毒液や殺虫剤などをトマト１２の全ての茎１２ａの根元部分に、一側方のみから吹き付けることができる。よって、消毒などの作業性を高めることができる。
また、両ガイドワイヤ１５Ａ，１５Ｂが吊下げ軸体１４より下方に配置されているため、両ガイドワイヤ１５Ａ，１５Ｂを吊下げ軸体１４と同一高さ位置またはそれ以上の高さ位置に配置した場合に問題となる、各誘引紐１６Ａ，１６Ｂに作用する荷重の略全てが両ガイドワイヤ１５Ａ，１５Ｂのみ（吊下げ軸体１４が荷重を分担しない）に作用し、その結果、両ガイドワイヤ１５Ａ，１５Ｂに延びや断線といった不都合が発生するおそれが解消される。
【産業上の利用可能性】
【００３３】
この発明は、例えばトマト、キュウリなどのつる植物の誘引栽培技術として有用である。
【符号の説明】
【００３４】
１０  吊下ろし栽培装置、
１２  トマト（つる植物）、
１２ａ  茎、
１３  栽培床、
１４  吊下げ軸体、
１５Ａ  左ガイドワイヤ、
１５Ｂ  右ガイドワイヤ、
１６Ａ  左誘引紐、
１６Ｂ  右誘引紐。
【図１】
2013034441.tif 000003
【図２】
2013034441.tif 000004
【図３】
2013034441.tif 000005
【図４】
2013034441.tif 000006
【図５】
2013034441.tif 000007
【図６】
2013034441.tif 000008
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
つる植物が植裁された直線的に延びる栽培床の上方でその延在方向に沿って延び、実質的に水平でかつ回転自在に設けられた吊り下げ軸体と、
それぞれがこの吊り下げ軸体から左右両側に一定距離だけ離れることによりこの吊り下げ軸体を挟むように設けられ、この吊り下げ軸体と実質的に平行に延びる１対の左ガイドワイヤおよび右ガイドワイヤと、
上記吊り下げ軸体にその軸方向に一定間隔を有して交互に巻き回された多数本の左誘引紐および多数本の右誘引紐と、を備え、
上記吊り下げ軸体を回転させることにより、上記多数本の左誘引紐および多数本の右誘引紐を同時に降下させる吊り下ろし栽培装置であって、
上記多数本の左誘引紐および多数本の右誘引紐は、上記吊り下げ軸体に対して同じ方向に巻き回され、
上記吊り下げ軸体から上記多数本の左誘引紐を上記左ガイドワイヤに向かって引き出し、引き出した上記多数本の左誘引紐を上記左ガイドワイヤから吊り下げ、
上記吊り下げ軸体から上記多数本の右誘引紐を上記右ガイドワイヤに向かって引き出し、引き出した上記多数本の右誘引紐を上記右ガイドワイヤから吊り下げるとともに、
吊り下げられた上記多数本の左誘引紐および多数本の右誘引紐に対して上記栽培床に植裁した上記つる植物の茎がその斜め上方に向かって成長するように保持された吊り下ろし栽培装置。
【請求項２】
つる植物が植裁された直線的に延びる栽培床の上方に、その延在方向に沿って延び、かつ実質的に水平な吊り下げ軸体を回転自在に設け、
それぞれがこの吊り下げ軸体から左右両側に一定距離だけ離れ、かつこの吊り下げ軸体と実質的に平行に延びた１対の左ガイドワイヤおよび右ガイドワイヤを、この吊り下げ軸体を挟むように設け、
上記吊り下げ軸体にその軸方向に一定間隔を有して、多数本の左誘引紐および多数本の右誘引紐を交互に巻き回し、
上記吊り下げ軸体を回転させることにより、上記多数本の左誘引紐および多数本の右誘引紐を同時に降下させる吊り下ろし栽培方法であって、
上記多数本の左誘引紐および多数本の右誘引紐は、上記吊り下げ軸体に対して同じ方向に巻き回され、
該吊り下げ軸体から上記多数本の左誘引紐を上記左ガイドワイヤに向かって引き出し、引き出した上記多数本の左誘引紐を上記左ガイドワイヤから吊り下げ、
上記吊り下げ軸体から上記多数本の右誘引紐を上記右ガイドワイヤに向かって引き出し、引き出した上記多数本の右誘引紐を上記右ガイドワイヤから吊り下げるとともに、
吊り下げられた上記多数本の左誘引紐および多数本の右誘引紐に対して上記栽培床に植裁した上記つる植物の茎がその斜め上方に向かって成長するように保持され、
上記つる植物の果実の収穫時には、上記茎の根元部分に生った果実を収穫後、上記吊下げ軸体を上記多数本の左誘引紐および多数本の右誘引紐の引出し方向へ回転させて、これらの多数本の左誘引紐および多数本の右誘引紐を同時に所定長さだけ引き出し、上記茎のさらに高い位置に生った果実を下ろして収穫する吊り下ろし栽培方法。
【手続補正２】
【補正対象書類名】明細書
【補正対象項目名】全文
【補正方法】変更
【補正の内容】
【発明の詳細な説明】
【技術分野】
【０００１】
この発明は吊下ろし栽培装置および栽培方法、詳しくはトマトやキュウリなどのつる植物の茎を誘引しながら栽培する吊下ろし栽培装置および栽培方法に関する。
【背景技術】
【０００２】
トマトの成長に合わせて茎を誘引することで、トマトの周年生産、多収化を可能とした吊下ろし栽培方法が知られている。従来、この栽培方法に適した吊下ろし栽培装置として、例えば特許文献１の「農作物のつり下ろし装置」が開発されている。特許文献１のものは、温室の骨組の上部間に、長尺な吊下げ部材（吊下げ軸体）をトマトの栽培床に沿って架設し、吊下げ部材の外周面に、吊下げ部材の長さ方向に所定ピッチで多数本の誘引紐の上部を、それぞれの下部を真下に垂らした状態で巻き付けたものである。吊下げ部材の両端部は、１対の軸受によって前記骨組に軸支され、吊下げ部材の一端部にはウォーム減速機が取り付けられている。また、各誘引紐の途中には、斜め上方へ延びるようにトマトの茎が、多数本のクリップにより掛止されている。
【０００３】
トマト収穫時には、作業が容易な茎の根元部分に生ったトマトを作業者が手もぎする。その後、ウォーム減速機により吊下げ部材を誘引紐の繰出し方向へ回転させ、全ての誘引紐を同時に所定長さだけ下方へ繰り出す。これにより、茎の上部分に実ったトマトが作業者の手元まで下ろされ、作業者は脚立などを使用せず、全てのトマトを安全に収穫することができる。
【先行技術文献】
【特許文献】
【０００４】
【特許文献１】特公平７−７７５２８号公報
【発明の概要】
【発明が解決しようとする課題】
【０００５】
しかしながら、特許文献１の「農作物のつり下ろし装置」にあっては、上述したように吊下げ部材に巻き回した全ての誘引紐が、吊下げ部材の外周面の一側部から吊下げ部材の真下に垂れていた。そのため、１対の軸受およびウォーム減速機を介して、温室の骨組の間に固定された吊下げ部材には、大きなねじりモーメントと大きな曲げモーメントとが同時に作用していた。この対策として、吊下げ部材に作用する荷重を考慮し、吊下げ部材を太くしたり、１対の軸受およびウォーム減速機の高強度化を図っていた。その結果、これらの部材が大型化して重量が嵩み、温室の骨組の補強が必要となったり、コスト高を招いていた。
また、栽培床の各株からは多数本のトマトの茎が成長し、これらの茎は、栽培床の真上からこの列に沿って所定ピッチで垂れた多数本の誘引紐にそれぞれ掛止されていた。そのため、斜め上方へ誘引された各茎は密集し易く、その結果、茎間の通風性が低下し、定期的に散布される消毒液などが全てのトマトに充分に行き渡らないおそれがあった。
【０００６】
そこで、発明者は、鋭意研究の結果、吊下げ部材に巻き回された多数本の誘引紐の導出方向を１本置きに左右方向へ振り分けるとともに、吊下げ部材の両側方に、吊下げ部材と平行に１対の左ガイドワイヤおよび右ガイドワイヤを架設し、多数本の左誘引紐を左ガイドワイヤに引っ掛けて吊り下げ、多数本の右誘引紐を右ガイドワイヤに引っ掛けて吊り下げれば、上述の問題は全て解消することを知見し、この発明を完成させた。なお、これらの左誘引紐および右誘引紐は吊り下げ軸体に対して同じ方向に巻き回されている。
【０００７】
この発明は、つる植物の茎の密集を防止し、茎間の通気性および透光性を高めて果実の成長環境を改善することができ、また吊下げ軸体の軽量化、軸受およびウォーム減速機の小型化をそれぞれ図ることができ、これにより装置のコスト低減も可能な吊下ろし栽培装置および栽培方法を提供することを目的としている。
【課題を解決するための手段】
【０００８】
請求項１に記載の発明は、つる植物が植裁された直線的に延びる栽培床の上方でその延在方向に沿って延び、実質的に水平でかつ回転自在に設けられた吊り下げ軸体と、それぞれがこの吊り下げ軸体から左右両側に一定距離だけ離れることによりこの吊り下げ軸体を挟むように設けられ、この吊り下げ軸体と実質的に平行に延びる１対の左ガイドワイヤおよび右ガイドワイヤと、上記吊り下げ軸体にその軸方向に一定間隔を有して交互に巻き回された多数本の左誘引紐および多数本の右誘引紐と、を備え、上記吊り下げ軸体を回転させることにより、上記多数本の左誘引紐および多数本の右誘引紐を同時に降下させる吊り下ろし栽培装置であって、上記多数本の左誘引紐および多数本の右誘引紐は、上記吊り下げ軸体に対して同じ方向に巻き回され、上記吊り下げ軸体から上記多数本の左誘引紐を上記左ガイドワイヤに向かって引き出し、引き出した上記多数本の左誘引紐を上記左ガイドワイヤから吊り下げ、上記吊り下げ軸体から上記多数本の右誘引紐を上記右ガイドワイヤに向かって引き出し、引き出した上記多数本の右誘引紐を上記右ガイドワイヤから吊り下げるとともに、吊り下げられた上記多数本の左誘引紐および多数本の右誘引紐に対して上記栽培床に植裁した上記つる植物の茎がその斜め上方に向かって成長するように保持された吊り下ろし栽培装置である。
【０００９】
請求項２に記載の発明は、つる植物が植裁された直線的に延びる栽培床の上方に、その延在方向に沿って延び、かつ実質的に水平な吊り下げ軸体を回転自在に設け、それぞれがこの吊り下げ軸体から左右両側に一定距離だけ離れ、かつこの吊り下げ軸体と実質的に平行に延びた１対の左ガイドワイヤおよび右ガイドワイヤを、この吊り下げ軸体を挟むように設け、上記吊り下げ軸体にその軸方向に一定間隔を有して、多数本の左誘引紐および多数本の右誘引紐を交互に巻き回し、上記吊り下げ軸体を回転させることにより、上記多数本の左誘引紐および多数本の右誘引紐を同時に降下させる吊り下ろし栽培方法であって、上記多数本の左誘引紐および多数本の右誘引紐は、上記吊り下げ軸体に対して同じ方向に巻き回され、該吊り下げ軸体から上記多数本の左誘引紐を上記左ガイドワイヤに向かって引き出し、引き出した上記多数本の左誘引紐を上記左ガイドワイヤから吊り下げ、上記吊り下げ軸体から上記多数本の右誘引紐を上記右ガイドワイヤに向かって引き出し、引き出した上記多数本の右誘引紐を上記右ガイドワイヤから吊り下げるとともに、吊り下げられた上記多数本の左誘引紐および多数本の右誘引紐に対して上記栽培床に植裁した上記つる植物の茎がその斜め上方に向かって成長するように保持され、上記つる植物の果実の収穫時には、上記茎の根元部分に生った果実を収穫後、上記吊下げ軸体を上記多数本の左誘引紐および多数本の右誘引紐の引出し方向へ回転させて、これらの多数本の左誘引紐および多数本の右誘引紐を同時に所定長さだけ引き出し、上記茎のさらに高い位置に生った果実を下ろして収穫する吊り下ろし栽培方法である。
【００１０】
吊下ろし栽培装置は、温室で使用した方が好ましいが、屋外の畑などでもよい。温室としては、ビニールハウスなどを採用することができる。
吊下げ軸体および１対の左ガイドワイヤおよび右ガイドワイヤは、例えば、栽培床の周囲に立設された複数の門形の支柱間に架け渡すことができる。その他、温室内に設置する場合には、これらを温室の骨組間に架け渡してもよい。温室の骨組としては、支柱、横梁、垂木、棟木などが挙げられる。吊下げ軸体が架設されるのは、例えば骨組の支柱間、横梁間などである。
つる植物としては、例えばトマト、キュウリ、ナスなどを採用することができる。
栽培床とは、つる植物が列（畝）状に栽植されたもので、水耕栽培の場合を含む。所定の幅で実質的に直線状に延びている。栽培床は、地面と平行または地面から所定高さ位置で水平に、かつ直線状に設けられる。
吊下げ軸体としては、中空のパイプ軸、中実軸を採用することができる。吊下げ軸体が長尺な場合には、隣接する吊下げ軸体の連結側の端部をねじ止め、ボルト止めなどにより連結してもよい。吊下げ軸体は、その軸線が実質的に水平であることが望ましい。ただし、若干傾斜してもよい。
「吊下げ軸体が実質的に水平である」とは、吊下げ軸体の軸線が水平であるか、地面（栽培床）と平行であることをいう。なお、吊下げ軸体はその軸線が若干傾斜してもよい。
【００１１】
左ガイドワイヤおよび右ガイドワイヤの素材としては、ステンレスなどの各種の金属を採用することができる。
「左ガイドワイヤおよび右ガイドワイヤが、吊り下げ軸体と実質的に平行に延びる」とは、緊張状態の左ガイドワイヤおよび右ガイドワイヤが、吊り下げ軸体の軸線に対して平行か、若干傾いている状態をいう。
１対の左ガイドワイヤおよび右ガイドワイヤの高さ位置は、吊下げ軸体の高さ位置を基準として、これより下方位置、これと同一高さ位置、これより上方位置のうちの何れでもよい。ただし、下方位置とした方が、例えば両ガイドワイヤが錆びたときに問題となる、ワイヤ表面への各誘引紐の摩擦の増大に伴う両ガイドワイヤの延びや断線の発生を防止することができて好ましい。
【００１２】
すなわち、両ガイドワイヤの高さ位置を吊下げ軸体の高さ位置と同一またはそれより上方位置とすれば、各誘引紐の両ガイドワイヤとの接触部分における屈曲角度は直角または鋭角となる。そのため、両ガイドワイヤと各誘引紐との接触長さは長くなるとともに、ガイドワイヤをその長さ方向に直交する面で切断したとき、各誘引紐に作用する果実付のつる植物の荷重は、両ガイドワイヤのうち、その断面の上部から一側部にかけた外周部分に作用することとなる。その結果、仮に両ガイドワイヤが錆びるなどして、この外周面への各誘引紐の接触抵抗が増大していれば、各誘引紐に作用する果実付きのつる植物の荷重は、吊下げ軸体による部分的な負担もなく、その略全てを両ガイドワイヤのみが受け易くなる。よって、この荷重を原因とした両ガイドワイヤの延びや断線が発生し易くなる。
これに対して、両ガイドワイヤの高さ位置を吊下げ軸体の高さ位置より下方位置とした場合には、各誘引紐の両ガイドワイヤとの接触部分における屈曲角度は鈍角となる。その結果、両ガイドワイヤと各誘引紐との接触長さは前記直角または鋭角の場合に比べて短くなり、かつ両ガイドワイヤをその長さ方向に直交する面で切断したとき、その断面の略一側部のみに前記果実付のつる植物の荷重が作用することとなる。すなわち、両ガイドワイヤの外周面のうち、その断面の上部に該当する部分にはこの荷重が作用しないことで、仮に両ガイドワイヤに錆が発生しても、各誘引紐に作用するつる植物からの荷重は、その一部が吊下げ軸体によって負担され易くなる。その結果、両ガイドワイヤへの前記荷重の全負担を原因とした両ガイドワイヤの延びや断線のおそれは少なくなる。
【００１３】
また、両ガイドワイヤには、対応する左誘引紐または右誘引紐の接触部分に円筒形状のカラーを周方向へ回転自在に装着するようにすれば、このような両ガイドワイヤと各誘引紐との摩擦力を低減することができる。
吊下げ軸体から各ガイドワイヤまでの離間距離は、１０ｃｍ以上、好ましくは２０〜３００ｃｍである。
左誘引紐および右誘引紐としては、例えば、ポリプロピレンなどの各種の合成樹脂紐の他、各種の天然紐を採用することができる。多数本の左誘引紐および多数本の右誘引紐は、１本置きに交互に左右方向へ振り分けられている。多数本の左誘引紐および多数本の右誘引紐は、側面から全体視したとき、それぞれを構成する誘引紐が互いに重なり合うように振り分けても、互いに重ならないように振り分けてもよい。
【００１４】
吊下げ軸体に巻き回された左誘引紐および右誘引紐の離間ピッチは任意であるが、２０〜５０ｃｍ、特に３０ｃｍ前後が好ましい。
つる植物の栽培床から成長した各茎を左誘引紐および右誘引紐に掛止する方法としては、例えば、クリップ、紐、針金、ベルトなどによる掛止法を採用することができる。例えばクリップは茎を固定するものではなく、茎の成育を可能とするように保持する構造である。
吊下げ軸体をその軸線を中心として回転させるもの（回転手段）としては、例えばハンドル回転させる手動式のもの、電動モータなどの各種のアクチュエータを駆動源とする自動式のものなどを採用することができる。
【００１５】
「多数本の左誘引紐および多数本の右誘引紐が、上記吊り下げ軸体に対して同じ方向に巻き回され」とは、吊下げ軸体を所定方向へ回転させたとき、吊下げ軸体から多数本の左誘引紐および多数本の右誘引紐が同時に引き出され（繰り出され）、吊下げ軸体を所定方向とは反対方向へ回転させたとき、多数本の左誘引紐および多数本の右誘引紐が同時に吊下げ軸体に巻き取られることを意味する。
このように、各左誘引紐および各右誘引紐を、吊り下げ軸体に対して同じ方向に巻き回した場合には、各左誘引紐および各右誘引紐を吊下げ軸体から１本置きに左右に振り分けたとき、各左誘引紐および各右誘引紐は、巻き付けられた吊下げ軸体を中心にして、各左誘引紐を左右の一方へ引っ張るとともに各右誘引紐を左右の他方へ引っ張ることにより、必然的に、各左誘引紐は吊下げ軸体の上部または下部の一方から導出され、かつ右誘引紐は吊下げ軸体の上部または下部の他方から導出されることになる。ここでいう「吊下げ軸体の上部」、「吊下げ軸体の下部」とは、吊下げ軸体をその長さ方向に直交する平面（断面）で切断したとき、その吊下げ軸体の断面の上部に該当する部分、または、その断面の下部に該当する部分をいう。吊下げ軸体の上部から対応する誘引紐が引き出された場合、その誘引紐の引出し初めは吊下げ軸体の外周面から上向きに引き出される。また、吊下げ軸体の下部から対応する誘引紐が引き出された場合、その誘引紐の引出し初めは吊下げ軸体から下向きに引き出される。
【発明の効果】
【００１６】
請求項１に記載の発明および請求項２に記載の発明によれば、吊下げ軸体の外周面に、その長さ方向へ所定ピッチで交互に巻き回された多数本の右誘引紐および左誘引紐を、左右方向へそれぞれ振り分けている。このため、栽培床に２列に植裁された多数のつる植物の茎の密集を防止し、茎と茎との間の通気性（風通し）およびこれらに対する透光性（日当たり）を高めてそのつる植物の果実などの成育環境を改善することができる。
また、多数本の右誘引紐および左誘引紐は、吊下げ軸体の右側方および左側方にそれぞれ配置された左右１対のガイドワイヤにそれぞれがいったん引っ掛けられてから垂直に垂らされる。そのため、これらの左誘引紐および右誘引紐により吊下げ軸体に対して作用する外力（茎を支持する誘引紐が垂直に引っ張られることにより誘引紐を介して作用する例えば斜め下方への外力）のうち、水平成分の力が略釣り合って相殺され、かつ両ガイドワイヤがこれらの左誘引紐および右誘引紐からの力（垂直方向の外力）の一部をそれぞれ受け止めることとなる。これにより、多数本の左誘引紐および右誘引紐を介して吊下げ軸体自体に作用する力（軸回りのねじりモーメントおよび軸に対する曲げモーメント）は、従来品の場合よりきわめて小さくなる。その結果、吊下げ軸体を従来品より低強度となる小径で軽量なものとすることができ、これに伴い、吊下げ軸体の軸受および例えばこれを回転させるウォーム減速機などの小型化もそれぞれ図れて、かつ装置のコスト低減も可能となる。同時に、吊り下げ軸体自体を長尺化（ロングスパン構造）とすることもでき、栽培床の長さを従来に比して長くすることにもつながる。
【図面の簡単な説明】
【００１７】
【図１】この発明の実施例１に係る吊下ろし栽培装置の全体構成を示す斜視図である。
【図２】この発明の実施例１に係る吊下ろし栽培装置の要部拡大斜視図である。
【図３】この発明の実施例１に係る吊下ろし栽培装置の回転手段の一部切欠部分を含む要部拡大斜視図である。
【図４】この発明の実施例１に係る吊下ろし栽培装置の一部を構成する吊下げ軸体に対する各誘引紐の上部の固定状態を示す要部拡大斜視図である。
【図５】この発明の実施例１に係る吊下ろし栽培装置の左右の誘引紐により吊下げ軸体に作用する力のつり合い状態を示す正面図である。
【図６】この発明の実施例１に係る吊下ろし栽培装置の一部を構成する多数本の誘引紐へのつる植物の茎の掛止状態を示す要部拡大斜視図である。
【発明を実施するための形態】
【００１８】
以下、この発明の実施例を具体的に説明する。ここでは、トマトのハウス栽培用の吊下ろし栽培装置および栽培方法を例にとる。
【実施例】
【００１９】
図１および図２において、１０はこの発明の実施例１に係る吊下ろし栽培装置である。この吊下ろし栽培装置１０は、温室１１の上部空間に配置され、トマト（つる植物）１２が植裁された直線的に延びる栽培床１３の上方でその延在方向に沿って延び、実質的に水平でかつ回転自在に設けられた吊り下げ軸体１４と、それぞれがこの吊り下げ軸体１４から左右両側に一定距離だけ離れることによりこの吊り下げ軸体１４を挟むように設けられ、この吊り下げ軸体１４と実質的に平行に延びる１対の左ガイドワイヤ１５Ａおよび右ガイドワイヤ１５Ｂと、上記吊り下げ軸体１４にその軸方向に一定間隔を有して交互に巻き回された多数本の左誘引紐１６Ａおよび多数本の右誘引紐１６Ｂと、吊下げ軸体１４の長さ方向の一端部に取り付けられ、かつ手動操作によって吊下げ軸体１４をその軸線回りに回転させることにより、多数本の左誘引紐１６Ａおよび多数本の右誘引紐１６Ｂの繰り出しを行うウォーム減速機（回転手段）１７とを備え、吊り下げ軸体１４を回転させることにより、多数本の左誘引紐１６Ａおよび多数本の右誘引紐１６Ｂを同時に降下させるものである。
【００２０】
温室１１は、平面視して矩形状で、かつ上部がアーチ形状となったビニールハウスである。
温室１１の地面には、温室１１の長さ方向へそれぞれ延びた複数の栽培床１３が、温室１１の幅方向へ所定ピッチで配設されている。栽培床１３には、茎１２ａの長さが８〜１０ｍまで達するトマト（果実）１２が、栽培床１３の長さ方向へ直列に植えられる。栽培床１３は畝などの土壌である。ただし、栽培床１３は養液を収容する水耕栽培用の容器でもよい。
温室１１の骨組は、温室１１の四隅と各側壁とに離間状態で配置された多数本の支柱と、支柱間に架け渡された多数本の横梁と、温室１１の上部の骨組を構成する多数本の垂木と、温室１１の屋根の中央部に配置された棟木とを有している。これらは、亜鉛メッキされた直線状または所定形状に湾曲した鋼管からなる。
【００２１】
各栽培床１３の左側方および右側方には、栽培床１３の長さ方向へ所定ピッチで多数本の室内支柱１８が対配置状態で立設されている。各対の室内支柱１８の上端部間には、山形鋼からなる上枠１９がそれぞれ横架されている。また、各栽培床１３の長さの方向の両端に配置された上枠１９には、長さ方向の中間部の下面にベアリングを内蔵した１対の軸受２０が配設されている（図３）。なお、それぞれ対配置された軸受２０の一方は、対応する上枠１９の中央部に上板が固定されたギヤボックス２１の温室中央側の板に配設されている。また、軸受２０を有さない各上枠１９の長さ方向の中間部の下面には、丸棒を湾曲加工したＵ字リング２２が配設されている（図２）。各栽培床１３の上方には、両端部が前記１対の軸受２０により軸支され、かつ残りの部分が多数本のＵ字リング２２により支持された吊下げ軸体１４が、その軸線回りへ回転自在に支持されている（図１および図２）。吊下げ軸体１４は５０ｍと長尺であるため、数本の短尺な部分軸体１４ａの端部同士をねじ止めにより連結して構成されている（図４）。
【００２２】
さらに、吊下げ軸体１４より下方位置で、かつ温室１１の長さ方向の両端部に配置された横梁間には、前記１対の長尺な左ガイドワイヤ１５Ａおよび右ガイドワイヤ１５Ｂが、所定のテンションで互いに平行に架け渡されている。また、両ガイドワイヤ１５Ａ，１５Ｂは、温室１１の幅方向の両端部に配置された１対の長尺な横梁間に、温室１１の長さ方向へ所定ピッチで架け渡された多数本の横梁ワイヤ２３により撓みが防止されている（図１）。
【００２３】
図３に示すように、前記各ギヤボックス２１は直方体形状の箱体で、それらの内部空間には、吊下げ軸体１４の一端部に固定し、かつ軸線が水平なウォームホイル２４と、これに軸線が直交（垂直）状態で噛合したウォーム２５とからなる前記ウォーム減速機１７が収納されている。ウォーム２５の入力軸２５ａは、対応するギヤボックス２１の下板の一部に形成された軸孔を通過し、下方へ突出している。この突出部分の下端部には、断面正方形のハンドル差し込み部２５ｂが一体形成されている。ハンドル差し込み部２５ｂには、作業者が吊下げ軸体１４を回転させる手動ハンドル２６の長尺な軸部２６ａの上端部に固定されたソケット２６ｂが着脱自在に連結される。ウォーム減速機１７の減速比（ギヤ比）は、ウォームギヤのセルフロック機能を発揮可能な１／４０〜１／６０としている。そのため、仮に多数のトマト１２が実った後、吊下げ軸体１４からの各誘引紐１６Ａ，１６Ｂの繰り出し（または巻上げ）をどの位置で中止しても、トマト１２の重量によって各誘引紐１６Ａ，１６Ｂがずれ落ちることはない。
【００２４】
各吊下げ軸体１４の外周面には、その長さ方向へ所定ピッチで、ポリプロピレン繊維からなる多数本の左誘引紐１６Ａおよび多数本の右誘引紐１６Ｂがそれぞれ左回りに巻き付けられている。各誘引紐１６Ａ，１６Ｂの巻き初めの端部には、断面Ｃ字形状の筒形クリップ２７を装着し、そのばね力により、各誘引紐１６Ａ，１６Ｂは吊下げ軸体１４の外周面に堅固に固定されている（図４）。
図１および図２に示すように、多数本の誘引紐１６Ａ，１６Ｂは、平面視して千鳥足状となるように、吊下げ軸体１４から１本置きに左右方向へ振り分けられている。そのうち、各左誘引紐１６Ａは、左ガイドワイヤ１５Ａに引っ掛けられて垂直に垂らされている。また、多数本の右誘引紐１６Ｂは、右ガイドワイヤ１５Ｂに引っ掛けて垂直に垂らされている。このとき、多数本の左誘引紐１６Ａは、吊下げ軸体１４の下部から吊下げ軸体１４の外周面に左回りに巻き付けており、右誘引紐１６Ｂは、吊下げ軸体１４の上部から吊下げ軸体１４の外周面に同じく左回りに巻き付けている（図５）。その結果、吊下げ軸体１４を左回りに回転させることで、各左誘引紐１６Ａおよび各右誘引紐１６Ｂは、同時に吊下げ軸体１４の外周面に巻き取られる。一方、吊下げ軸体１４を右回りに回転させることで、各左誘引紐１６Ａおよび各右誘引紐１６Ｂは、同時に吊下げ軸体１４から引き出される（繰り出される）。
【００２５】
なお、各左誘引紐１６Ａおよび各右誘引紐１６Ｂは、巻き付けられた吊下げ軸体１４を中心にして、各左誘引紐１６Ａを左下へ引っ張るとともに各右誘引紐１６Ｂを右下へ引っ張ることにより、必然的に、各左誘引紐１６Ａは吊下げ軸体１４の下部から導出され、かつ右誘引紐１６Ｂは吊下げ軸体１４の上部から導出されることになる。ここでいう「吊下げ軸体１４の上部」、「吊下げ軸体１４の下部」とは、吊下げ軸体１４をその長さ方向に直交する平面（断面）で切断したとき、その吊下げ軸体１４の断面の上部に該当する部分、または、その断面の下部に該当する部分をいう。
【００２６】
次に、この発明の実施例１に係る吊下ろし栽培装置１０を使用したトマト１２の吊下ろし栽培方法を説明する。
図１および図６に示すように、トマト１２の多数本の左誘引紐１６Ａおよび右誘引紐１６Ｂへの掛止作業時には、トマト１２の栽培床１３から成長した多数本の茎１２ａが、それぞれ斜め上方へ向かって成長するように、各茎１２ａを多数本の誘引紐１６Ａ，１６Ｂの所定高さ位置に、多数個のトマトクリップ（株式会社アルト製）Ｃを用いて掛止する。具体的には、まず茎１２ａの根元部に最も近い誘引紐１６Ａまたは１６Ｂの下端部に、茎１２ａの根元部をトマトクリップＣにより掛止する。その後、この根元部が掛止された誘引紐１６Ａまたは１６Ｂを基準にして、これから１本、２本、３本と誘引紐１６Ａまたは１６Ｂが離れる程、トマトクリップＣによる茎１２ａの掛止位置の高さが高まるように、茎１２ａをそれぞれの誘引紐１６Ａまたは１６Ｂに掛止して行く。
【００２７】
トマト１２の収穫時には、収穫作業が容易な茎１２ａの根元部分に生ったトマト１２を作業者が手もぎする。その後は、作業者が手動ハンドル２６のソケット２６ｂを、ウォーム２５のハンドル差し込み部２５ｂに装着し、手動ハンドル２６を所定方向へ回転させることで、ウォーム減速機１７を介して、吊下げ軸体１４が各誘引紐１６Ａ，１６Ｂの繰出し方向へ回転する。これにより、全ての誘引紐１６Ａ，１６Ｂが所定長さだけ同時に繰り出され、茎１２ａの上部分に実ったトマト１２が作業者の手元まで下ろされる。その結果、作業者は脚立などを使用せず、全てのトマト１２を安全に収穫することができる。
【００２８】
また、ここでは、吊下げ軸体１４の外周面に、その長さ方向へ所定ピッチで巻き回された多数本の左誘引紐１６Ａおよび多数本の右誘引紐１６Ｂを、左右方向へそれぞれ振り分けるため、トマト１２の茎１２ａの密集を防止し、茎間の通気性および透光性を高めてトマト１２の成長環境を改善することができる。
さらに、各左誘引紐１６Ａは、吊下げ軸体１４を中心にしてその左側方に配置した左ガイドワイヤ１５Ａにいったん引っ掛けた後、左ガイドワイヤ１５Ａの直下へ垂らすとともに、各右誘引紐１６Ｂは、吊下げ軸体１４を中心にしてその右側方に配置した右ガイドワイヤ１５Ｂにいったん引っ掛けた後、右ガイドワイヤ１５Ｂの直下へ垂らす構成としている。そのため、各誘引紐１６Ａ，１６Ｂから吊下げ軸体１４に作用する力のうち、水平成分の力が略釣り合って相殺され、かつ両ガイドワイヤ１５Ａ，１５Ｂが対応する各誘引紐１６Ａ，１６Ｂの力の一部をそれぞれ受ける（図５）。これにより、多数本の誘引紐１６Ａ，１６Ｂを介して吊下げ軸体１４に作用する力（ねじりモーメントおよび曲げモーメント）は、従来品の場合より小さくなる。その結果、吊下げ軸体１４を従来品より低強度となる小径で軽量なものとすることができる。これに伴い、軸受２０およびウォーム減速機１７の小型化もそれぞれ図れ、かつ装置のコスト低減も可能となる。
【００２９】
また、各誘引紐１６Ａ，１６Ｂは、平面視して千鳥足状となるように、１本置きに左右方向へ振り分けている（図１）。そのため、多数本の誘引紐１６Ａ，１６Ｂを側面視したとき、左誘引紐１６Ａおよび右誘引紐１６Ｂのうち、例えば左誘引紐１６Ａの間から、右誘引紐１６Ｂがそれぞれ露出している。これにより、左誘引紐１６Ａおよび右誘引紐１６Ｂの吊下げ位置を基準として、その吊下げ位置から所定間隔でトマト１２の栽培床１３の株をそれぞれ植え込んだ場合には、消毒液や殺虫剤などをトマト１２の全ての茎１２ａの根元部分に、一側方のみから吹き付けることができる。よって、消毒などの作業性を高めることができる。
また、両ガイドワイヤ１５Ａ，１５Ｂが吊下げ軸体１４より下方に配置されているため、両ガイドワイヤ１５Ａ，１５Ｂを吊下げ軸体１４と同一高さ位置またはそれ以上の高さ位置に配置した場合に問題となる、各誘引紐１６Ａ，１６Ｂに作用する荷重の略全てが両ガイドワイヤ１５Ａ，１５Ｂのみ（吊下げ軸体１４が荷重を分担しない）に作用し、その結果、両ガイドワイヤ１５Ａ，１５Ｂに延びや断線といった不都合が発生するおそれが解消される。
【産業上の利用可能性】
【００３０】
この発明は、例えばトマト、キュウリなどのつる植物の誘引栽培技術として有用である。
【符号の説明】
【００３１】
１０  吊下ろし栽培装置、
１２  トマト（つる植物）、
１２ａ  茎、
１３  栽培床、
１４  吊下げ軸体、
１５Ａ  左ガイドワイヤ、
１５Ｂ  右ガイドワイヤ、
１６Ａ  左誘引紐、
１６Ｂ  右誘引紐。